【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
所定のドットクロックに基づき生成されたデジタル動画データをアナログ変換して得られたアナログ動画信号から前記デジタル動画データを再生成する画像再生成装置であって、
前記デジタル動画データの同期信号を入力する同期信号入力手段と、
前記所定のドットクロックと同一周波数で、前記同期信号に基づき位相を調整したサンプリングクロックを生成するクロック生成手段と、
この生成したサンプリングクロックに基づき、前記アナログ動画信号をデジタル変換して前記デジタル動画データを再生成するアナログデジタル変換手段と、
を有することを特徴とする画像再生成装置。
【請求項２】
画像生成装置により所定のドットクロックに基づき生成されたデジタル動画データを、アナログ変換して得られたアナログ動画信号から前記デジタル動画データを再生成する画像再生成装置であって、
前記デジタル動画データの同期信号を入力する同期信号入力手段と、
前記ドットクロックに対応した周波数データを記憶する記憶手段と、
この記憶手段に記憶された前記周波数データからサンプリングクロック生成用の周波数データを選択する選択手段と、
選択された前記周波数データに基づき前記ドットクロックと同一周波数のクロックを生成し、このクロックから前記同期信号に基づき位相を調整したサンプリングクロックを生成するクロック生成手段と、
この生成したサンプリングクロックに基づき、前記アナログ動画信号をデジタル変換して前記デジタル動画データを再生成するアナログデジタル変換手段と、
を有することを特徴とする画像再生成装置。
【請求項３】
請求項２において、
前記記憶手段は、前記ドットクロックに対応した位相データを記憶し、
前記選択手段は、前記記憶手段に記憶された前記位相データからサンプリングクロック生成用の位相データを選択し、
前記クロック生成手段は、前記周波数データおよび前記位相データに基づき前記ドットクロックと同一周波数のクロックを生成し、このクロックから前記同期信号に基づき位相を調整したサンプリングクロックを生成することを特徴とする画像再生成装置。
【請求項４】
請求項３において、
前記同期信号は、水平同期信号であって、
前記クロック生成手段は、前記水平同期信号の変化時に、前記位相データに基づき、前記サンプリングクロックの位相を調整し、
前記アナログデジタル変換手段は、前記サンプリングクロックの変化時に前記アナログ動画信号をデジタル動画データに変換することを特徴とする画像再生成装置。
【請求項５】
請求項１〜４のいずれかにおいて、
前記再生成したデジタル動画データを、伝送路を介してデジタル動画処理装置へ向け伝送する伝送手段を有することを特徴とする画像再生成装置。
【請求項６】
請求項５において、
前記デジタル動画処理装置は、デジタル動画表示装置であることを特徴とする画像再生成装置。
【請求項７】
請求項１〜６のいずれかにおいて、
前記デジタル動画データは、ゲーム動画データであることを特徴とする画像再生成装置。
【請求項８】
所定のドットクロックに基づき生成されたデジタル動画データをアナログ変換して得られたアナログ動画信号から前記デジタル動画データを再生成する画像再生成方法であって、
前記デジタル動画データの同期信号を入力する同期信号入力工程と、
前記所定のドットクロックと同一周波数で、前記同期信号に基づき位相を調整したサンプリングクロックを生成するクロック生成工程と、
この生成したサンプリングクロックに基づき、前記アナログ動画信号をデジタル変換して前記デジタル動画データを再生成するアナログデジタル変換工程と、
を含むことを特徴とする画像再生成方法。
【請求項９】
所定のドットクロックに基づき生成されたデジタル動画データをアナログ変換して得られたアナログ動画信号から前記デジタル動画データを再生成するためのプログラムを記録した、コンピュータ読み取り可能な情報記録媒体であって、
コンピュータを、
前記デジタル動画データの同期信号を入力するための同期信号入力手段と、
前記所定のドットクロックと同一周波数で、前記同期信号に基づき位相を調整したサンプリングクロックを生成するためのクロック生成手段と、
この生成したサンプリングクロックに基づき、前記アナログ動画信号をデジタル変換して前記デジタル動画データを再生成するためのアナログデジタル変換手段として機能させるためのプログラムを記録したことを特徴とする情報記録媒体。
【手続補正２】
【補正対象書類名】明細書
【補正対象項目名】０００９
【補正方法】変更
【補正の内容】
【０００９】
【課題を解決するための手段】
これらの課題を解決するため、本発明に係る画像再生成装置は、
所定のドットクロックに基づき生成されたデジタル動画データをアナログ変換して得られたアナログ動画信号から前記デジタル動画データを再生成する画像再生成装置であって、
前記デジタル動画データの同期信号を入力する同期信号入力手段と、
前記所定のドットクロックと同一周波数で、前記同期信号に基づき位相を調整したサンプリングクロックを生成するクロック生成手段と、
この生成したサンプリングクロックに基づき、前記アナログ動画信号をデジタル変換して前記デジタル動画データを再生成するアナログデジタル変換手段と、
を有することを特徴とする。
【手続補正３】
【補正対象書類名】明細書
【補正対象項目名】００１０
【補正方法】変更
【補正の内容】
【００１０】
また、本発明に係る画像再生成方法は、
所定のドットクロックに基づき生成されたデジタル動画データをアナログ変換して得られたアナログ動画信号から前記デジタル動画データを再生成する画像再生成方法であって、
前記デジタル動画データの同期信号を入力する同期信号入力工程と、
前記所定のドットクロックと同一周波数で、前記同期信号に基づき位相を調整したサンプリングクロックを生成するクロック生成工程と、
この生成したサンプリングクロックに基づき、前記アナログ動画信号をデジタル変換して前記デジタル動画データを再生成するアナログデジタル変換工程と、
を含むことを特徴とする。
【手続補正４】
【補正対象書類名】明細書
【補正対象項目名】００１１
【補正方法】変更
【補正の内容】
【００１１】
また、本発明に係る情報記録媒体は、
所定のドットクロックに基づき生成されたデジタル動画データをアナログ変換して得られたアナログ動画信号から前記デジタル動画データを再生成するためのプログラムを記録した、コンピュータ読み取り可能な情報記録媒体であって、
コンピュータを、
前記デジタル動画データの同期信号を入力するための同期信号入力手段と、
前記所定のドットクロックと同一周波数で、前記同期信号に基づき位相を調整したサンプリングクロックを生成するためのクロック生成手段と、
この生成したサンプリングクロックに基づき、前記アナログ動画信号をデジタル変換して前記デジタル動画データを再生成するためのアナログデジタル変換手段として機能させるためのプログラムを記録したことを特徴とする。
【手続補正５】
【補正対象書類名】明細書
【補正対象項目名】００２１
【補正方法】変更
【補正の内容】
【００２１】
また、本発明に係る画像再生成装置は、
画像生成装置により所定のドットクロックに基づき生成されたデジタル動画データを、アナログ変換して得られたアナログ動画信号から前記デジタル動画データを再生成する画像再生成装置であって、
前記デジタル動画データの同期信号を入力する同期信号入力手段と、
前記ドットクロックに対応した周波数データを記憶する記憶手段と、
この記憶手段に記憶された前記周波数データからサンプリングクロック生成用の周波数データを選択する選択手段と、
選択された前記周波数データに基づき前記ドットクロックと同一周波数のクロックを生成し、このクロックから前記同期信号に基づき位相を調整したサンプリングクロックを生成するクロック生成手段と、
この生成したサンプリングクロックに基づき、前記アナログ動画信号をデジタル変換して前記デジタル動画データを再生成するアナログデジタル変換手段と、
を有することを特徴とする。
【手続補正６】
【補正対象書類名】明細書
【補正対象項目名】００２７
【補正方法】変更
【補正の内容】
【００２７】
また、前記記憶手段は、前記ドットクロックに対応した位相データを記憶し、
前記選択手段は、前記記憶手段に記憶された前記位相データからサンプリングクロック生成用の位相データを選択し、
前記クロック生成手段は、前記周波数データおよび前記位相データに基づき前記ドットクロックと同一周波数のクロックを生成し、このクロックから前記同期信号に基づき位相を調整したサンプリングクロックを生成してもよい。
【手続補正７】
【補正対象書類名】明細書
【補正対象項目名】００３２
【補正方法】変更
【補正の内容】
【００３２】
また、前記同期信号は、水平同期信号であって、
前記クロック生成手段は、前記水平同期信号の変化時に、前記位相データに基づき、前記サンプリングクロックの位相を調整し、
前記アナログデジタル変換手段は、前記サンプリングクロックの変化時に前記アナログ動画信号をデジタル動画データに変換してもよい。
【手続補正８】
【補正対象書類名】明細書
【補正対象項目名】００３５
【補正方法】変更
【補正の内容】
【００３５】
また、前記再生成したデジタル動画データを、伝送路を介してデジタル動画処理装置へ向け伝送する伝送手段を有してもよい。
【手続補正９】
【補正対象書類名】明細書
【補正対象項目名】００４０
【補正方法】変更
【補正の内容】
【００４０】
また、前記デジタル動画処理装置は、デジタル動画表示装置であってもよい。
【手続補正１０】
【補正対象書類名】明細書
【補正対象項目名】００４５
【補正方法】変更
【補正の内容】
【００４５】
また、前記デジタル動画データは、ゲーム動画データであってもよい。
【手続補正１１】
【補正対象書類名】明細書
【補正対象項目名】００５８
【補正方法】変更
【補正の内容】
【００５８】
なお、本実施の形態の画像生成装置２００は、図示しない同期信号を所定の出力ポートを介して出力するように構成されている。
【手続補正１２】
【補正対象書類名】明細書
【補正対象項目名】０１２３
【補正方法】変更
【補正の内容】
【０１２３】
したがって、通常は、ＣＲＴモニタ出力用のアナログ動画信号４０４を、液晶モニタ７００側でアナログデジタル変換する。しかし、このアナログ動画信号４０４は、再度デジタル化することを考慮していないため、ドットクロック信号がない上、なまりや反射といった信号の乱れが起きやすい。